(57)【特許請求の範囲】
【請求項１】
記録媒体に対しラインヘッドを用いて記録するインクジェット記録装置において、
矩形状の第１基板と、矩形状の第２基板と、前記第１基板上及び前記第２基板上に配列された複数の前記ラインヘッドと、を備え、
前記第１基板の一方側の側端が段状の上突出部を有し、
前記第２基板の他方側の側端が段状の下突出部を有し、
前記上突出部と前記下突出部とが互いに面接触するように上下に重なり合い、且つ、前記下突出部の先端が前記第１基板に当接された状態で、前記第１基板と前記第２基板とが並設されており、
前記第１基板に対して前記第２基板を長手方向に微移動させることにより、解像度を変化させるものであり、
前記第２基板上には連結用ブロックが固定されており、
該連結用ブロックの下面には、突起状のガイド部が設けられ、
前記第１基板の上面には、長手方向に長溝部が設けられ、
前記ガイド部が前記長溝部に挿入されているインクジェット記録装置。
【請求項２】
記録媒体に対しラインヘッドを用いて記録するインクジェット記録装置において、
矩形状の第１基板と、矩形状の第２基板と、前記第１基板上及び前記第２基板上に配列された複数の前記ラインヘッドと、を備え、
前記第１基板の一方側の側端が段状の上突出部を有し、
前記第２基板の他方側の側端が段状の下突出部を有し、
前記上突出部と前記下突出部とが互いに面接触するように上下に重なり合い、且つ、前記下突出部の先端が前記第１基板に当接された状態で、前記第１基板と前記第２基板とが並設されており、
前記第１基板に対して前記第２基板を長手方向に微移動させることにより、解像度を変化させるものであり、
前記第１基板上には調整用ブロックが固定されており、
前記第２基板上には連結用ブロックが固定されており、
該連結用ブロック上にはストッパーが取り付けられており、
前記第２基板を微移動させない場合、前記ストッパーの先端と前記調整用ブロックとの間には隙間が設けられており、
前記第２基板を微移動させた場合、前記ストッパーの先端が前記調整用ブロックに当接されるインクジェット記録装置。
【請求項３】
前記第２基板上には前記連結用ブロックを介して、一対のストッパーが取り付けられており、
該ストッパー同士の間に前記調整用ブロックが配置されている請求項２記載のインクジェット記録装置。
【請求項４】
記録媒体に対しラインヘッドを用いて記録するインクジェット記録装置において、
矩形状の第１基板と、矩形状の第２基板と、前記第１基板上及び前記第２基板上に配列された複数の前記ラインヘッドと、を備え、
前記第１基板の一方側の側端が段状の上突出部を有し、
前記第２基板の他方側の側端が段状の下突出部を有し、
前記上突出部と前記下突出部とが互いに面接触するように上下に重なり合い、且つ、前記下突出部の先端が前記第１基板に当接された状態で、前記第１基板と前記第２基板とが並設されており、
前記第１基板に対して前記第２基板を長手方向に微移動させることにより、解像度を変化させるものであり、
前記上突出部には貫通孔が設けられ、
前記下突出部には有底孔が設けられ、
前記貫通孔と前記有底孔とを合致させた状態で位置決めピンが貫通孔側から嵌入可能となっているインクジェット記録装置。
【請求項５】
記録媒体に対しラインヘッドを用いて記録するインクジェット記録装置において、
矩形状の第１基板と、矩形状の第２基板と、前記第１基板上及び前記第２基板上に配列された複数の前記ラインヘッドと、切り欠き部を有するヘッドボックスとを備え、
前記第１基板の一方側の側端が段状の上突出部を有し、
前記第２基板の他方側の側端が段状の下突出部を有し、
前記上突出部と前記下突出部とが互いに面接触するように上下に重なり合い、且つ、前記下突出部の先端が前記第１基板に当接された状態で、前記第１基板と前記第２基板とが並設されており、
前記第１基板に対して前記第２基板を長手方向に微移動させることにより、解像度を変化させるものであり、
前記切り欠き部の奥側に前記第１基板及び前記第２基板が取り付けられ、
前記切り欠き部の手前側に前記第１基板及び前記第２基板を同時に仮固定する蓋部が取り付けられ、
前記蓋部が、前記第１基板に連結された第１案内具と、前記第２基板に連結された第２案内具と、前記第１案内具及び前記第２案内具を支持するフロント部と、からなり、
前記第１案内具を作動させることにより、前記第１基板が微回動可能となっており、
前記第２案内具を作動させることにより、前記第２基板が微移動可能となっているインクジェット記録装置。
【請求項６】
前記第１案内具が、前記第１基板に第１連結ピンを介して枢着された第１連絡機構と、該第１連絡機構が取り付けられた第１ナットと、該第１ナットが取り付けられた第１ネジ軸と、からなり、
前記第１ネジ軸を回転させることにより、前記第１基板が微回動する請求項５記載のインクジェット記録装置。
【請求項７】
前記第１連絡機構が、前記第１ネジ軸に略直交する水平方向に延びる支持部と、該支持部先端に取り付けられた支点部と、からなり、
前記支持部が前記第１ナットに取り付けられ、
前記支点部の中心軸が固定されており、且つ一端が前記第１基板に前記第１連結ピンを介して枢着されている請求項６記載のインクジェット記録装置。
【請求項８】
前記第２案内具が、前記第２基板に第２連結ピンを介して取り付けられた第２連絡機構と、該第２連絡機構が取り付けられた第２ナットと、該第２ナットが取り付けられた第２ネジ軸と、からなり、
前記第２ネジ軸を回転させることにより、前記第２基板が微移動する請求項５又は６に記載のインクジェット記録装置。
【請求項９】
前記第２連絡機構が、前後方向に微移動可能な横部材と、該横部材にエキセンピンを介して取り付けられた縦部材と、からなり、
前記縦部材が前記第２ナットに取り付けられ、
前記横部材が前記第２基板に第２連結ピンを介して取り付けられている請求項８記載のインクジェット記録装置。
【請求項１０】
前記縦部材の前後にはストッパーが設けられている請求項９記載のインクジェット記録装置。
【請求項１１】
前記ラインヘッドにおけるノズルピッチが一定であり、
前記第１基板に対して前記第２基板を、前記ノズルピッチの１／２だけ微移動させる請求項１〜１０のいずれか１項に記載のインクジェット記録装置。
【発明の詳細な説明】
【技術分野】
【０００１】
本発明は、インクジェット記録装置に関し、更に詳しくは、簡単に解像度を変化させることができると共に、簡単且つ高精度にノズルの位置決めを行うことができるラインヘッド式のインクジェット記録装置に関する。
【背景技術】
【０００２】
記録媒体に対してラインヘッドを用いて記録するラインヘッド式のインクジェット記録装置が知られている。
一般に、インクジェット記録装置を用いた記録においては、解像度によって、画像の表現力が大きく変化する。なお、解像度とは、例えば、１インチ間のインクの粒（以下「ドット」という。）の数を意味する。
また、解像度には、記録媒体の走行方向と記録媒体の走行方向とは垂直方向との２方向があり、いずれかの方向又は両方向の解像度を高解像度にする場合、ドットの粒の大きさを比較的小さくする必要がある。
【０００３】
ところで、インクジェット記録装置においては、記録媒体の走行方向の解像度を高解像度にする場合、繊細な画像表現が可能となるが、走行方向のドット間の距離が狭くなるため、インク吐出回数が一定の場合又は限界の場合、記録媒体の移動速度を低速で運転する必要があり、結果的に生産性が劣る。
一方で、低解像度にする場合、ドット間の距離が広くなるので、高速で運転することが可能となるが、粗い画像表現しか得られない。
また、記録媒体の走行方向とは垂直方向の解像度を高解像度にする場合、ヘッドノズルの配置により対応することが必要となる。
【０００４】
近年、印刷業界においては、求める画像に応じて解像度を変化させ、合理的に記録することが求められている。
これに対し、例えば、複数のノズルが列方向に並ぶ第１ノズル列と、複数のノズルが列方向に並ぶ第２ノズル列と、第２ノズル列を列方向に移動させる移動機構と、を備える液体吐出装置（インクジェット記録装置）が知られている（例えば、特許文献１参照）。
また、多数のインクジェットノズルを列状に設けた複数のラインヘッドのうち、少なくとも１個を除く他のラインヘッドをノズル列方向へ移動可能にしたインクジェット印字装置（インクジェット記録装置）が知られている（例えば、特許文献２参照）。
これらのインクジェット記録装置によれば、ノズル列を移動させることにより、ロット毎に解像度を変化させることができる。
【先行技術文献】
【特許文献】
【０００５】
【特許文献１】特開２００７−２８３６３９号公報
【特許文献２】特開２０１１−１５２７０８号公報
【発明の概要】
【発明が解決しようとする課題】
【０００６】
しかしながら、上記特許文献１又は２に記載のインクジェット記録装置においては、解像度を変化させることができるものの、ヘッドを個別に移動させる必要があり作業が煩雑になるという欠点がある。
また、ヘッドを移動させた後、ノズルの位置を調整するのに手間がかかるという欠点もある。
【０００７】
本発明らは、上記事情に鑑みてなされたものであり、簡単に解像度を変化させることができると共に、簡単且つ高精度にノズルの位置決めを行うことができるラインヘッド式のインクジェット記録装置を提供することを目的とする。
【課題を解決するための手段】
【０００８】
本発明者らは、上記課題を解決するため鋭意検討したところ、複数のラインヘッドが配列された第１基板と、複数のラインヘッドが配列された第２基板とを、特定の配置で並設し、この状態から、第１基板に対して第２基板を微移動させることにより、上記課題を解決し得ることを見出し、本発明を完成するに至った。
【０００９】
本発明は、（１）記録媒体に対しラインヘッドを用いて記録するインクジェット記録装置において、矩形状の第１基板と、矩形状の第２基板と、第１基板上及び第２基板上に配列された複数のラインヘッドと、を備え、第１基板の一方側の側端が段状の上突出部を有し、第２基板の他方側の側端が段状の下突出部を有し、上突出部と下突出部とが互いに面接触するように上下に重なり合い、且つ、下突出部の先端が第１基板に当接された状態で、第１基板と第２基板とが並設されており、第１基板に対して第２基板を長手方向に微移動させることにより、解像度を変化させるものであり、第２基板上には連結用ブロックが固定されており、該連結用ブロックの下面には、突起状のガイド部が設けられ、第１基板の上面には、長手方向に長溝部が設けられ、ガイド部が長溝部に挿入されているインクジェット記録装置に存する。
【００１２】
本発明は、（２）記録媒体に対しラインヘッドを用いて記録するインクジェット記録装置において、矩形状の第１基板と、矩形状の第２基板と、第１基板上及び第２基板上に配列された複数のラインヘッドと、を備え、第１基板の一方側の側端が段状の上突出部を有し、第２基板の他方側の側端が段状の下突出部を有し、上突出部と下突出部とが互いに面接触するように上下に重なり合い、且つ、下突出部の先端が第１基板に当接された状態で、第１基板と第２基板とが並設されており、第１基板に対して第２基板を長手方向に微移動させることにより、解像度を変化させるものであり、第１基板上には調整用ブロックが固定されており、第２基板上には連結用ブロックが固定されており、該連結用ブロック上にはストッパーが取り付けられており、第２基板を微移動させない場合、ストッパーの先端と調整用ブロックとの間には隙間が設けられており、第２基板を微移動させた場合、ストッパーの先端が調整用ブロックに当接されるインクジェット記録装置に存する。
【００１３】
本発明は、（３）第２基板上には連結用ブロックを介して一対のストッパーが取り付けられており、該ストッパー同士の間に調整用ブロックが配置されている上記（２）記載のインクジェット記録装置に存する。
【００１４】
本発明は、（４）記録媒体に対しラインヘッドを用いて記録するインクジェット記録装置において、矩形状の第１基板と、矩形状の第２基板と、第１基板上及び第２基板上に配列された複数のラインヘッドと、を備え、第１基板の一方側の側端が段状の上突出部を有し、第２基板の他方側の側端が段状の下突出部を有し、上突出部と下突出部とが互いに面接触するように上下に重なり合い、且つ、下突出部の先端が第１基板に当接された状態で、第１基板と第２基板とが並設されており、第１基板に対して第２基板を長手方向に微移動させることにより、解像度を変化させるものであり、上突出部には貫通孔が設けられ、下突出部には有底孔が設けられ、貫通孔と有底孔とを合致させた状態で位置決めピンが貫通孔側から嵌入可能となっているインクジェット記録装置に存する。
【００１５】
本発明は、（５）記録媒体に対しラインヘッドを用いて記録するインクジェット記録装置において、矩形状の第１基板と、矩形状の第２基板と、第１基板上及び第２基板上に配列された複数のラインヘッドと、切り欠き部を有するヘッドボックスとを備え、第１基板の一方側の側端が段状の上突出部を有し、第２基板の他方側の側端が段状の下突出部を有し、上突出部と下突出部とが互いに面接触するように上下に重なり合い、且つ、下突出部の先端が第１基板に当接された状態で、第１基板と第２基板とが並設されており、第１基板に対して第２基板を長手方向に微移動させることにより、解像度を変化させるものであり、切り欠き部の奥側に第１基板及び第２基板が取り付けられ、切り欠き部の手前側に第１基板及び第２基板を同時に仮固定する蓋部が取り付けられ、蓋部が、第１基板に連結された第１案内具と、第２基板に連結された第２案内具と、第１案内具及び第２案内具を支持するフロント部と、からなり、第１案内具を作動させることにより、第１基板が微回動可能となっており、第２案内具を作動させることにより、第２基板が微移動可能となっているインクジェット記録装置に存する。
【００１６】
本発明は、（６）第１案内具が、第１基板に第１連結ピンを介して枢着された第１連絡機構と、該第１連絡機構が取り付けられた第１ナットと、該第１ナットが取り付けられた第１ネジ軸と、からなり、第１ネジ軸を回転させることにより、第１基板が微回動する上記（５）記載のインクジェット記録装置に存する。
【００１７】
本発明は、（７）第１連絡機構が、第１ネジ軸に略直交する水平方向に延びる支持部と、該支持部先端に取り付けられた支点部とからなり、支持部が第１ナットに取り付けられ、支点部の中心軸が固定されており、且つ一端が第１基板に第１連結ピンを介して枢着されている上記（６）記載のインクジェット記録装置に存する。
【００１８】
本発明は、（８）第２案内具が、第２基板に第２連結ピンを介して取り付けられた第２連絡機構と、該第２連絡機構が取り付けられた第２ナットと、該第２ナットが取り付けられた第２ネジ軸と、からなり、第２ネジ軸を回転させることにより、第２基板が微移動する上記（５）又は（６）に記載のインクジェット記録装置に存する。
【００１９】
本発明は、（９）第２連絡機構が、前後方向に微移動可能な横部材と、該横部材にエキセンピンを介して取り付けられた縦部材とからなり、縦部材が第２ナットに取り付けられ、横部材が第２基板に第２連結ピンを介して取り付けられている上記（８）記載のインクジェット記録装置に存する。
【００２０】
本発明は、（１０）縦部材の前後にはストッパーが設けられている上記（９）記載のインクジェット記録装置に存する。
本発明は、（１１）ラインヘッドにおけるノズルピッチが一定であり、第１基板に対して第２基板を、ノズルピッチの１／２だけ微移動させる上記（１）〜（１０）のいずれか１つに記載のインクジェット記録装置に存する。
【発明の効果】
【００２１】
本発明のインクジェット記録装置においては、複数のラインヘッドが配列された第１基板と、複数のラインヘッドが配列された第２基板とが並設されており、第１基板に対して第２基板を微移動させることにより、解像度を簡単に変化させることができる。
このとき、第１基板の上突出部と第２基板の下突出部とが面接触するように互いに上下に重なり合っているので、第１基板に対する第２基板の高さ方向の位置が位置決めされ、第２基板の下突出部の先端が第１基板に当接されているので、第１基板に対する第２基板の幅方向（基板の長手方向とは垂直方向）の位置が位置決めされる。このため、第２基板を微移動させる際には、第２基板の長手方向の位置のみ調整すればよいので、簡単に第２基板の位置決めを行うことができる。
【００２２】
本発明のインクジェット記録装置においては、ラインヘッドにおけるノズルピッチ（ノズル同士の間隔）が一定であり、第１基板に対して第２基板を、ノズルピッチの１／２だけ微移動させることにより、解像度を２倍にすることができる。
【００２３】
本発明のインクジェット記録装置においては、第２基板上に固定された連結用ブロックの下面のガイド部が、第１基板の上面の長溝部に挿入されているので、第１基板に対する第２基板の幅方向の位置が確実に位置決めされる。
また、ガイド部が長溝部に挿入された状態で第２基板を微移動させることになるので、微移動の際に、第２基板が第１基板に対して幅方向にぶれることを確実に防止することができる。
【００２４】
本発明のインクジェット記録装置において、第２基板を微移動させない位置（以下「第１位置」ともいう。）では、第２基板上に連結用ブロックを介して取り付けられたストッパーの先端と、第１基板上に固定された調整用ブロックとの間に、例えば、ノズルピッチの１／２に相当する隙間が設けられており、第２基板を微移動させた位置（以下「第２位置」ともいう。）では、当該ストッパーの先端が調整用ブロックに当接されるようにすることで、第２基板の位置を、第１位置から第２位置に簡単に配置することができる。
また、第２基板には連結用ブロックを介して一対のストッパーが取り付けられており、そのストッパー同士の間に調整用ブロックが配置されている場合、例えば、一対のストッパーと調整用ブロックとの間にそれぞれの隙間がある状態から、調整用ブロックを一方のストッパーに当接させ、他方のストッパーとの間にノズルピッチの１／２に相当する隙間を持たせることで、第１位置又は第２位置に簡単に配置することができる。また、調整ブロックに対し両ストッパーの設定位置を微調整することにより、第１位置及び第２位置を微調整することができる。
【００２５】
本発明のインクジェット記録装置においては、上突出部に設けられた貫通孔と、下突出部に設けられた有底孔とを合致させた状態で位置決めピンを貫通孔側から嵌入することにより、例えば、初期段階として第１位置における第１基板と、第２基板との長手方向の位置決めを簡単に行うことができる。
【００２６】
本発明のインクジェット記録装置においては、蓋部の第１案内具を作動させることにより、第１基板が微回動可能となっているので、第１案内具を用いて、第１基板及び第２基板の水平方向における傾きを補正することができる。
このとき、第１案内具が、第１連絡機構と、第１ナットと、第１ネジ軸と、からなり、第１ネジ軸を回転させることにより、第１基板が微回動する構成となっているので、容易に第１基板及び第２基板を微回動させることができる。
また、第１連絡機構が、第１ネジ軸に略直交する水平方向に延びる支持部と、該支持部先端に取り付けられた支点部と、からなり、支持部が第１ナットに取り付けられ、支点部の中心軸が固定されており、且つ一端が第１基板に第１連結ピンを介して枢着されている場合、第１ネジ軸の回転量に対する第１基板及び第２基板の微回動量を小さくすることができるので、第１基板及び第２基板の微回動量を高精度に調整することができる。
さらに、第１ネジ軸のネジピッチを変更することで第１基板及び第２基板の微回動量を大きくすることもでき、小さくすることもできる。
【００２７】
本発明のインクジェット記録装置においては、蓋部の第２案内具を作動させることにより、第２基板が微移動可能となっているので、第２案内具を用いて、解像度の切り換えを行うことができる。
このとき、第２案内具が、第２連絡機構と、第２ナットと、第２ネジ軸と、からなり、第２ネジ軸を回転させることにより、第２基板が微移動する構成となっているので、容易に第２基板を微移動させることができる。
また、第２連絡機構が、前後方向に微移動可能な横部材と、該横部材にエキセンピンを介して取り付けられた縦部材と、からなり、縦部材が第２ナットに取り付けられ、横部材が第２基板に第２連結ピンを介して取り付けられている場合、第２ネジ軸の回転量に対する横部材の微移動量を小さくすることができるので、横部材の微移動量を高精度に調整することができる。
さらに、第２ネジ軸のネジピッチを変更することで横部材の微移動量を大きくすることもでき、小さくすることもできる。
さらにまた、縦部材の前後にストッパーが設けられていると、縦部材が前後方向に移動し過ぎることを防止できる。
【図面の簡単な説明】
【００２８】
【図１】図１は、本実施形態に係るインクジェット記録装置の概略を示す正面図である。
【図２】図２は、本実施形態に係るインクジェット記録装置のラインヘッド部を示す上面図である。
【図３】図３は、図２のＡ−Ａ面で切断した第１取付部を示す部分断面図である。
【図４】図４の（ａ）は、本実施形態に係るインクジェット記録装置の第１取付部を拡大した上面図であり、（ｂ）は、（ａ）のＢ−Ｂ面で切断した断面図である。
【図５】図５は、図２のＣ−Ｃ面で切断した第２取付部を示す部分断面図である。
【図６】図６は、本実施形態に係るインクジェット記録装置のラインヘッド部と蓋部とをヘッドボックスに取り付けた状態を示す上面図である。
【図７】図７は、本実施形態に係るインクジェット記録装置における第１案内具を示す上面図である。
【図８】図８の（ａ）は、本実施形態に係るインクジェット記録装置における第２案内具を示す上面図であり、（ｂ）は、その側面図である。
【図９】図９は、図８の（ｂ）のＤ−Ｄ面で切断した第２連絡機構の動きを説明するための模式断面図である。
【図１０】図１０の（ａ）は、本実施形態に係るインクジェット記録装置において、第２基板が第１位置にある場合のラインヘッド部と記録媒体との位置関係の概略を示す上面図であり、（ｂ）は、第２基板が第２位置にあるラインヘッド部と記録媒体との位置関係の概略を示す上面図である。
【図１１】図１１の（ａ）は、本実施形態に係るインクジェット記録装置において、第２基板が第１位置にある場合にラインヘッド部で記録したドットの配置を説明するための説明図であり、（ｂ）は、第２基板が第２位置にある場合にラインヘッド部で記録したドットの配置を説明するための説明図である。
【図１２】図１２は、他の実施形態に係るインクジェット記録装置のラインヘッド部及び蓋部を示す上面図である。
【発明を実施するための形態】
【００２９】
以下、必要に応じて図面を参照しつつ、本発明の好適な実施形態について詳細に説明する。なお、図面中、同一要素には同一符号を付すこととし、重複する説明は省略する。また、上下左右等の位置関係は、特に断らない限り、図面に示す位置関係に基づくものとする。更に、図面の寸法比率は図示の比率に限られるものではない。
【００３０】
図１は、本実施形態に係るインクジェット記録装置の概略を示す正面図である。
図１に示すように、本実施形態に係るインクジェット記録装置１００は、走行する記録媒体１に記録する複数のラインヘッドを有するラインヘッド部Ｌと、該ラインヘッド部Ｌを収容するヘッドボックス５と、記録媒体１を案内する複数の案内ローラ２と、ラインヘッド部Ｌにより記録された記録媒体１を乾燥するための乾燥機３とを備える。すなわち、本実施形態に係るインクジェット記録装置１００は、固定されたラインヘッドを用いたラインヘッド式のインクジェット記録装置となっている。
なお、記録媒体１としては、例えば、紙、布帛、フィルム、金属箔等、市販のものを適宜採用できる。
また、乾燥機３は、円柱状のドライヤーを有し、該ドライヤー表面にインクジェット記録された記録媒体１を密着させることにより、記録媒体１が乾燥するようになっている。
【００３１】
インクジェット記録装置１００においては、搬入された記録媒体１が案内ローラ２により案内され、ラインヘッド部Ｌによりインクジェット記録される。
そして、インクジェット記録された記録媒体１は、別の案内ローラ２により案内され、乾燥機３に到達し乾燥される。その後、別の案内ローラ２に案内されて乾燥された記録媒体１が外方に搬出される。
【００３２】
図２は、本実施形態に係るインクジェット記録装置のラインヘッド部を示す上面図である。
図２に示すように、ラインヘッド部Ｌは、矩形状の第１基板１１と、矩形状の第２基板２１と、第１基板１１上及び第２基板２１上に配列された複数のラインヘッドＨと、を備える。
そして、複数のラインヘッドＨが配列された第１基板１１と、複数のラインヘッドＨが配列された第２基板２１とが並設された構成となっている。
【００３３】
ここで、第１基板１１と第２基板２１とは、後述する前後の２か所の取付部Ｐ，Ｑ（以下「第１取付部Ｐ」、「第２取付部Ｑ」ともいう。）を介して取り付けられている。
そして、第１基板１１に対して第２基板２１を長手方向に矢印方向に微移動させることにより、記録媒体の走行方向に対して垂直方向の解像度を変化させることが可能となっている。なお、詳細については後述する。
【００３４】
図３は、図２のＡ−Ａ面で切断した第１取付部Ｐを示す部分断面図である。
図３に示すように、第１取付部Ｐにおいて、第１基板１１の表面と、第２基板２１の表面とは、面一となっている。これにより、第１基板１１上に設置したラインヘッドＨのノズル面と記録媒体までの距離と、第２基板２１上に設置したラインヘッドＨのノズル面と記録媒体までの距離とが同じになる。従って、同じタイプのラインヘッドＨを第１基板１１及び第２基板２１に用いることが可能となる。
また、清掃、メンテナンス等を行う際の作業性も向上する。
【００３５】
第１取付部Ｐにおいて、第１基板１１は、一方側の側端に設けられた段状の上突出部１２を有し、第２基板２１は、他方側の側端に設けられた段状の下突出部２２を有している。
そして、上突出部１２の下面と、下突出部２２の上面とが互いに面接触するように上下に重なり合っており、且つ、下突出部２２の先端が、第１基板１１に当接されている。
【００３６】
このように、上突出部１２と下突出部２２とが面接触するように互いに重なり合っているので、第１基板１１に対する第２基板２１の高さ方向の位置を位置決めすることができる。
また、下突出部２２の先端が第１基板１１に当接されることで、第１基板１１に対する第２基板２１の幅方向（基板の長手方向とは垂直方向、図３でいう左右方向）の位置を位置決めすることができる。これにより、第２基板２１を微移動させる際には、第２基板２１の長手方向の位置のみ調整すればよいので、簡単且つ高精度に第２基板２１の位置決めを行うことができる。
【００３７】
ここで、上突出部１２の先端は、第２基板２１に当接されない。これにより、第１基板１１に対して第２基板２１を微移動させる際の摩擦を軽減することができる。その結果、第２基板２１をスムーズに微移動させることが可能となる。
なお、先述したように、下突出部２２の先端が第１基板１１に当接されているため、第１基板１１に対する第２基板２１の幅方向の位置決めがなされるところ、位置決めに利用する基準面は１つの方が精度を出し易く好ましいため、上突出部１２と第２基板２１との間には隙間が設けられている。
【００３８】
また、第１取付部Ｐにおいて、第２基板２１の上面には連結用ブロック２３ａがボルト３１により固定されており、当該連結用ブロック２３ａの下面には、突起状のガイド部２５が設けられている。
一方、第１基板１１の上面には、長手方向に長溝部１５が設けられている。
そして、ガイド部２５が長溝部１５に挿入されている。
【００３９】
第１取付部Ｐにおいては、連結用ブロック２３ａと下突出部２２とが、上突出部１２を上下から挟み込むような構成となっており、また、連結用ブロック２３ａの下面のガイド部２５が、第１基板の長溝部１５に挿入され且つ該長溝部１５の第２基板側の側壁に当接されている。これにより、適切な当接圧で下突出部２２の先端が第１基板１１に当接されることになる。
したがって、適切な当接圧で下突出部２２の先端が第１基板１１に当接された状態で第２基板２１を微移動させることになるので、微移動の際に、第２基板２１が第１基板１１に対して幅方向にぶれることを防止することができる。
なお、ガイド部２５の下面と長溝部１５の底面との間には、隙間が設けられている。
【００４０】
図４の（ａ）は、本実施形態に係るインクジェット記録装置の第１取付部Ｐを拡大した上面図であり、（ｂ）は、（ａ）のＢ−Ｂ面で切断した断面図である。
図４に示すように、第１取付部Ｐにおいて、第１基板１１の上面にはボルト３２により調整用ブロック１６が固定されている。
また、第２基板２１の上面には上述した連結用ブロック２３ａが固定されている。
かかる連結用ブロック２３ａは、上面視でコの字状となっており、一対の突出した部分にそれぞれストッパー２６が取り付けられている。なお、調整用ブロック１６は、両ストッパー２６の間に配置されている。
このとき、調整用ブロック１６の後端（図４の（ａ）でいう左側）は、調整用ブロック１６後方のストッパー２６ａ（２６）に当接されており、調整用ブロック１６の前端（図４の（ａ）でいう右側）と、調整用ブロック１６前方のストッパー２６ｂ（２６）との間には隙間が設けられている。
なお、本明細書において、調整用ブロックの微移動に対して、下流側を「前」とし、上流側を「後」とする。また、「前方」、「後方」についても同様である。
【００４１】
インクジェット記録装置１００においては、第２基板２１を微移動させない場合（図４に示す状態）、すなわち、第２基板２１が第１位置にある場合は、調整用ブロック１６前方のストッパー２６ｂの先端と調整用ブロック１６の前端との間に隙間がある状態で記録することになる。なお、このときは、調整用ブロック１６後方のストッパー２６ａの先端は調整用ブロック１６の後端に当接されている。
一方、第２基板２１を微移動させた場合、すなわち、第２基板２１が第２位置にある場合は、調整用ブロック１６の前端を調整用ブロック１６前方のストッパー２６ｂに当接させた状態で記録することになる。なお、このときは、調整用ブロック１６後方のストッパー２６ａの先端と調整用ブロック１６の後端との間には隙間が生じる。
【００４２】
ここで、これらの隙間の距離は、第２基板２１を微移動させ、第１基板１１のラインヘッドＨのノズルピッチ間に、第２基板２１のラインヘッドＨのノズルを配置するようにするため、第１基板１１のラインヘッドＨのノズルピッチの１／２の距離に相当する。この微移動により記録媒体の走行方向に対して垂直方向の解像度を２倍にすることができる。
【００４３】
これらのことにより、インクジェット記録装置１００においては、調整用ブロック１６を何れかのストッパー２６に当接させることにより、簡単に、第１基板１１に対する第２基板２１の長手方向の位置を位置決めすることができる。その結果、記録媒体の走行方向に対して垂直方向の解像度を簡単に変化させることが可能となる。
また、両ストッパー２６の位置を微調整することにより、記録する際の第２基板２１の位置（第１位置又は第２位置）をそれぞれ微調整することができる。
【００４４】
図５は、図２のＣ−Ｃ面で切断した第２取付部Ｑを示す部分断面図である。
図５に示すように、第２取付部Ｑにおいて、第１基板１１は、一方側の側端に設けられた段状の上突出部１２を有し、第２基板２１は、他方側の側端に設けられた段状の下突出部２２を有している。
そして、上突出部１２の下面と、下突出部２２の上面とが互いに面接触するように上下に重なり合っており、且つ、下突出部２２の先端が、第１基板１１に当接されている。
【００４５】
また、第２取付部Ｑにおいて、第２基板２１の上面には、連結用ブロック２３ｂがボルト３１により固定されており、当該連結用ブロック２３ｂの下面には、突起状のガイド部２５が設けられている。
一方、第１基板１１の上面には、長手方向に長溝部１５が設けられている。
そして、ガイド部２５が長溝部１５に挿入されている。
【００４６】
すなわち、第２取付部Ｑは、これらの第１基板１１と第２基板との配設関係において、第１取付部Ｐと同様な構造となっている。
【００４７】
ここで、第２取付部Ｑにおいては、第１取付部Ｐとは異なり、上突出部１２には垂直方向に貫通孔３３が設けられ、下突出部２２には垂直方向に有底孔３４が設けられている。
そして、貫通孔３３と有底孔３４とを合致させた状態で位置決めピン３５が貫通孔３３側から嵌入可能となっている。
また、下突出部２２の先端が第１基板１１に当接されることで、第１基板１１に対する第２基板２１の幅方向の位置を位置決めしている。
なお、位置決めに利用する基準は１つの方が精度を出し易く好ましいため、貫通孔３３と有底孔３４のどちらか一方は、位置決めピン３５に対して、基板の幅方向（図５でいう左右方向）にわずかに長穴であってもよい。
【００４８】
第２取付部Ｑにおいては、第１基板１１に第２基板２１を組み付けた際に、貫通孔３３及び有底孔３４に共通に位置決めピン３５を嵌入することにより、ストッパー２６ａが調整用ブロック１６の後端に当接した第１位置に第２基板２１がある場合の位置決めを簡単に行うことができる。すなわち、第１基板１１に対する第２基板２１の初期段階での位置決めを簡単に行うことができる。なお、第２基板２１を微移動させる際には、位置決めピン３５は取り外される。
【００４９】
ここで、第１位置及び第２位置の位置を決定する方法について説明する。
まず、第１基板１１及び第２基板２１が、連結用ブロック２３ａ，２３ｂによって、記録媒体の走行方向（基板上の短軸方向）にガタの無い状態で連結される。
このとき、第１取付部Ｐにおいて、調整用ブロック１６を挟むように設置した２つのストッパー２６は両方とも調整用ブロック１６に当接させていない状態とする。
【００５０】
そして、第２取付部Ｑの連結用ブロック２３ｂに、位置決めピン３５を嵌入させる。
この状態が上述した第１位置となる。
【００５１】
次に、第１位置で第１基板１１上のラインヘッドＨのノズルと第２基板２１上のラインヘッドＨのノズルとの記録媒体の走行方向に垂直な方向の位置を合わせるため、ラインヘッドＨ個々の位置調整（アライメント）を行う。
また、このときに、第２基板２１に連結用ブロック２３ａを介して設置した一対のストッパー２６のうち、調整用ブロック１６後方のストッパー２６ａのみを、調整用ブロック１６に当接させ、そのストッパー２６ａをロックする。
なお、第１基板１１上及び第２基板２１上のラインヘッドＨのノズルの位置にずれが生じていた場合、後述する第１案内具４１を用いて、ラインヘッドＨを動かし、このずれを補正する。
【００５２】
次に、第２位置を設定する。まず、その設定前に、第２取付部Ｑの連結用ブロック２３ｂに嵌入させた位置決めピン３５は、抜脱しておく。
第２位置は、第２基板２１に連結用ブロック２３ａを介して設置した一対のストッパー２６のうち、調整用ブロック１６前方のストッパー２６ｂのみを、調整用ブロック１６に当接させ、そのストッパー２６ｂをロックする。
【００５３】
図１に戻り、本実施形態に係るインクジェット記録装置１００において、ラインヘッド部Ｌは、ヘッドボックス５に収容されている。
具体的には、ラインヘッド部Ｌは、ヘッドボックス５下面の基板５ａの上に取り付けられる。
【００５４】
図６は、本実施形態に係るインクジェット記録装置のラインヘッド部Ｌと蓋部４０とをヘッドボックス５に取り付けた状態を示す上面図である。
図６に示すように、インクジェット記録装置１００においては、ヘッドボックス５の基板５ａに矩形状の切り欠き部５ｂが設けられている。
そして、切り欠き部５ｂの奥側にラインヘッド部Ｌである第１基板１１及び第２基板２１が取り付けられ、切り欠き部５ｂの手前側に第１基板１１及び第２基板２１を同時に仮固定する蓋部４０が取り付けられる。
【００５５】
蓋部４０は、第１基板１１に連結された第１案内具４１と、第２基板２１に連結された第２案内具４２と、第１案内具４１及び第２案内具４２を支持するフロント部４３と、からなる。なお、第１案内具４１は第１基板１１から着脱可能となっており、第２案内具４２は第２基板２１から着脱可能となっている。
インクジェット記録装置１００においては、第１案内具４１及び第２案内具４２がそれぞれ対応する第１基板１１及び第２基板２１に連絡された状態で、第１案内具４１を作動させることにより、第１基板１１が基板１１の長手方向反対側にある着脱可能な支点ピン４５を中心に微回動可能となっており、第２案内具４２を作動させることにより、第２基板２１が微移動可能となっている。
【００５６】
図７は、本実施形態に係るインクジェット記録装置における第１案内具４１を示す上面図である。
図７に示すように、第１案内具４１は、第１基板１１に第１連結ピン４１ａを介して枢着された第１連絡機構４１０と、該第１連絡機構４１０が取り付けられた第１ナット４１２と、該第１ナット４１２が取り付けられ、フロント部４３に回転可能に支持された棒状の第１ネジ軸４１１とからなる。
そして、第１連絡機構４１０は、第１ナット４１２に取り付けられ、第１ネジ軸４１１に略直交する水平方向に延びる支持部４１３と、該支持部４１３先端に設けられた支点部４１３ａとからなる。
また、支点部４１３ａの一端は、第１連結ピン４１ａを介して、第１基板１１に枢着されている。
【００５７】
第１案内具４１において、支点部４１３ａは、その中心軸Ｍが図示しない蓋部の底面板に固定されている。このため、第１ネジ軸４１１を回転させることにより、第１ナット４１２がスライドすると共に、支持部４１３が中心軸Ｍを中心に回動し、それに伴って第１連結ピン４１ａも回動するため、第１基板１１が第２基板２１と連結された状態で、基板１１の長手方向反対側にある着脱可能な支点ピン４５を中心に矢印方向に微回動するようになっている。
【００５８】
インクジェット記録装置１００においては、蓋部４０の第１案内具４１を作動させることにより、第１基板１１が基板１１の長手方向反対側にある着脱可能な支点ピン４５を中心に微回動可能となっているので、第１案内具４１を用いて、第１基板１１及び第１基板に連結された第２基板２１の水平方向における傾きを補正することができる。その結果、記録媒体１に対するノズル位置のずれを修正することができる。
【００５９】
図８の（ａ）は、本実施形態に係るインクジェット記録装置における第２案内具４２を示す上面図であり、（ｂ）は、その側面図であり、図９は、図８の（ｂ）のＤ−Ｄ面で切断した第２連絡機構の動きを説明するための模式断面図である。
図８の（ａ）及び（ｂ）に示すように、第２案内具４２は、第２基板２１に第２連結ピン４２ａを介して取り付けられた第２連絡機構４２０と、該第２連絡機構４２０が取り付けられた第２ナット４２２と、該第２ナット４２２が取り付けられた第２ネジ軸４２１とからなる。
そして、第２連絡機構４２０は、前後方向に微移動可能な横部材４２３ｂと、該横部材４２３ｂにエキセンピン（偏芯ピン）Ｅを介して取り付けられた縦部材４２３ａとからなる。
また、縦部材４２３ａは、第２ナット４２２に取り付けられており、横部材４２３ｂは、第２連結ピン４２ａを介して第２基板２１に取り付けられている。
さらに、第２案内具４２において、縦部材４２３ａの前後には一対のストッパー４２４が設けられている。
【００６０】
第２案内具４２において、蓋部４０の底面板にはブラケット４４が固定されており、当該ブラケット４４には、ベアリングを介してエキセンピンＥが取付けられている。すなわち、エキセンピンＥが回動可能となるようにブラケット４４に取り付けられている。
縦部材４２３ａは、その下端側が当該エキセンピンＥに固定されており、上端側が第２ナット４２２に連結されている。
なお、エキセンピンＥと縦部材４２３ａとの固定連結中心と、エキセンピンＥとブラケット４４との回動軸受中心は同軸となっている。
したがって、縦部材４２３ａは、該第２ナット４２２の前後移動に基づいて、エキセンピンＥを軸に前後に回動可能となっている。このとき、エキセンピンＥ自体も縦部材４２３ａの回動と共に回動する。
【００６１】
横部材４２３ｂは、第２基板２１側が第２連結ピン４２ａにより第２基板２１に着脱可能に連結されており、その反対側がエキセンピンＥの直径と同じ幅を有する上下方向長穴が形成され、その上下方向長穴にエキセンピンＥが挿入され、当該エキセンピンＥの回動を妨げないようにエキセンピンＥに取付けられている。
したがって、横部材４２３ｂは、エキセンピンＥの回動に基づいて、前後方向に微移動するようになっている（図９参照）。このとき、横部材４２３ｂにおいては、エキセンピンＥが挿入される穴が上下方向長穴となっているので、エキセンピンＥの回動による上下方向の偏芯を上下方向長穴が逃がすことになるので、横部材４２３ｂの上下方向への移動が防止される。
【００６２】
第２案内具４２においては、第２ネジ軸４２１を回転させることにより、第２ナット４２２が移動し、縦部材４２３ａが回動すると共にエキセンピンＥが偏芯して回動し、それによって、横部材４２３ｂが、水平方向（前後方向）に動くことになる。
これにより、第１基板１１に対する第２基板２１の微移動が行われる。
なお、このとき、蓋部４０の底面板には一対のガイド片４７が設けられている。このため、横部材４２３ｂは、その微移動の際に、横部材４２３ｂの両側面及び上面を当該ガイド片４７の内側に摺動させることにより、ガイド片４７に沿って案内される。
【００６３】
インクジェット記録装置１００においては、蓋部４０の第２案内具４２を作動させることにより、第２基板２１が微移動するので、第２案内具４２を用いて、簡単に解像度の切り換えを行うことができる。
また、第２案内具４２の縦部材４２３ａの前後にはストッパー４２４が設けられているので、縦部材４２３ａが移動し過ぎることを防止することができる。
【００６４】
図１０の（ａ）は、本実施形態に係るインクジェット記録装置において、第２基板が第１位置にある場合のラインヘッド部と記録媒体との位置関係の概略を示す上面図であり、（ｂ）は、第２基板が第２位置にあるラインヘッド部と記録媒体との位置関係の概略を示す上面図である。
また、図１１の（ａ）は、本実施形態に係るインクジェット記録装置において、第２基板が第１位置にある場合にラインヘッド部で記録したドットの配置を説明するための説明図であり、（ｂ）は、第２基板が第２位置にある場合にラインヘッド部で記録したドットの配置を説明するための説明図である。なお、図１１中、ドットＤ１を「〇」、ドットＤ２を「●」で示す。
【００６５】
図１０の（ａ）及び（ｂ）に示すように、インクジェット記録装置１００においては、記録媒体１が、ラインヘッド部Ｌの長手方向とは垂直方向に搬送される。
ここで、各ラインヘッドＨには、図示しないノズルが一定の間隔（ピッチ）で配列されており、そのラインヘッドＨに収容されたインクを当該ノズルから吐出するようになっている。
【００６６】
第２基板２１を第１位置に配置させた場合、図１０の（ａ）に示すように、ラインヘッド部Ｌの第１基板１１上のラインヘッドＨと、第２基板２１上のラインヘッドＨとの位置は一致する。なお、必要であれば、第１案内具４１を移動させ、ノズル位置のずれを修正することができる。
この場合、搬送される記録媒体１にラインヘッド部Ｌで連続して数回記録すると、図１１の（ａ）に示すように、第１基板１１のラインヘッドＨにより記録されたドットＤ１と記録媒体の走行方向で同じ列上に、第２基板２１のラインヘッドＨにより記録されるドットＤ２を付与することができる。
【００６７】
一方、第２案内具４２を用い、第１基板１１に対して第２基板２１を、ノズルピッチの１／２だけ微移動させ、第２基板２１を第２位置に配置させた場合、図１０の（ｂ）に示すように、ラインヘッド部Ｌの第１基板１１上のラインヘッドＨと、第２基板２１上のラインヘッドＨとの位置は一致しない。
この場合、第１基板１１上のラインヘッドＨにより記録されたドットＤ１同士の間に、第２基板２１上のラインヘッドＨにより記録されるドットＤ２を付与することができるので、記録媒体の走行方向に対して垂直方向の解像度が２倍となる。
【００６８】
このとき、記録媒体１の走行方向で同じ列上の記録は、ドットＤ１又はドットＤ２のみで記録されるので、各ラインヘッドＨの単位時間当たりの吐出回数を例えば４倍に増加する、又は、記録媒体１の走行速度を例えば１／４倍に減速する等の処置をとることが好ましい。
これにより、記録媒体１の走行方向の解像度も２倍となるので、図１１の（ｂ）に示すように、記録媒体の走行方向に対して垂直方向の解像度が２倍であり、且つ、記録媒体１の走行方向の解像度も２倍であるインクジェット記録が可能となる。
【００６９】
これらのことから、本実施形態に係るインクジェット記録装置１００によれば、第１基板１１に対して第２基板２１を微移動させることにより、記録媒体の走行方向に対して垂直方向の解像度を簡単に変化させることができる。
【００７０】
以上、本発明の実施形態について説明したが、本発明は上記実施形態に限定されるものではない。
【００７１】
例えば、本実施形態に係るインクジェット記録装置１００においては、第１基板１１と第２基板２１とは構成が逆になっていてもよい。すなわち、第２基板２１に対して、第１基板１１を微移動させる構成であってもよい。
【００７２】
本実施形態に係るインクジェット記録装置１００において、第１基板１１と第２基板２１とは、２か所の取付部Ｐ，Ｑ（「第１取付部Ｐ」及び「第２取付部Ｑ」）を介して取り付けられているが、取付部は１か所のみであってもよく、３か所以上有していてもよい。なお、１か所のみ設ける場合は、上述した第１取付部の構成であることが好ましい。
また、１か所のみ設ける場合は、取付部ＰとＱを合わせた構成とすることも可能である。
【００７３】
本実施形態に係るインクジェット記録装置１００において、第１基板１１の表面と、第２基板２１の表面とは面一となっているが、必ずしも必須の構成ではない。
【００７４】
本実施形態に係るインクジェット記録装置１００において、連結用ブロック２３ａは、上面視でコの字状となっており、当該連結用ブロック２３ａの２箇所の突出した部分にそれぞれストッパー２６が取り付けられているが、当該突出した部分がそれぞれ独立していてもよい。すなわち、各連結用ブロック上にそれぞれストッパーが取り付けられていてもよい。
また、第２基板上には、連結用ブロック２３ａを介してストッパーを１つだけ有していてもよい。この場合、調整用ブロック１６の後端は、所定の固定基準に当接されており、調整用ブロック１６の前端と当該ストッパーとの間には隙間が設けられることになる。
【００７５】
本実施形態に係るインクジェット記録装置１００においては、貫通孔３３及び有底孔３４に位置決めピン３５を貫通孔３３側から嵌入することにより、第２基板２１が第１位置にある場合の位置決めを行っているが、第２基板２１が第２位置にある場合の位置決めを行うことができる位置に貫通孔３３及び有底孔３４が設けられていてもよい。
なお、第２基板２１が第１位置にある場合と、第２位置にある場合の両方の位置決めを可能とするため、貫通孔及び有底孔を複数有していてもよい。
【００７６】
本実施形態に係るインクジェット記録装置１００において、蓋部４０は、第１基板１１に連結された第１案内具４１と、第２基板２１に連結された第２案内具４２と、第１案内具４１及び第２案内具４２を支持するフロント部４３と、からなっているが、第１案内具は必ずしも必須の構成ではない。
また、第１案内具４１及び第２案内具４２の構造も上述したものに限定されない。
【００７７】
図１２は、他の実施形態に係るインクジェット記録装置のラインヘッド部及び蓋部を示す上面図である。
図１２に示すように、他の実施形態に係るインクジェット記録装置において、蓋部４０ａは、第２基板２１に連結された棒状の第２案内具４４と、第２案内具４４を回転可能に支持するフロント部４３と、からなる。
上記インクジェット記録装置においては、第２案内具（ネジ軸）４４を作動（回転）させることにより、第２基板２１が微移動可能となっている。
【産業上の利用可能性】
【００７８】
本発明のインクジェット記録装置は、記録媒体にラインヘッドを用いて記録するラインヘッド式のインクジェット記録装置として利用できる。本発明のインクジェット記録装置によれば、記録媒体の走行方向に対して垂直方向の解像度を簡単に変化させることができると共に、簡単且つ高精度にノズルの位置決めを行うことができる。
【符号の説明】
【００７９】
１・・・記録媒体
２・・・案内ローラ
３・・・乾燥機
５・・・ヘッドボックス
５ａ・・・基板
５ｂ・・・切り欠き部
１００・・・インクジェット記録装置
１１・・・第１基板
１２・・・上突出部
１５・・・長溝部
１６・・・調整用ブロック
２１・・・第２基板
２２・・・下突出部
２３ａ，２３ｂ・・・連結用ブロック
２５・・・ガイド部
２６，２６ａ，２６ｂ・・・ストッパー
３１，３２・・・ボルト
３３・・・貫通孔
３４・・・有底孔
３５・・・位置決めピン
４０，４０ａ・・・蓋部
４１・・・第１案内具
４１０・・・第１連絡機構
４１１・・・第１ネジ軸
４１２・・・第１ナット
４１３・・・支持部
４１３ａ・・・支点部
４１ａ・・・第１連結ピン
４２，４４・・・第２案内具
４２０・・・第２連絡機構
４２１・・・第２ネジ軸
４２２・・・第２ナット
４２３ａ・・・縦部材
４２３ｂ・・・横部材
４２４・・・ストッパー
４２ａ・・・第２連結ピン
４３・・・フロント部
４４・・・ブラケット
４５・・・支点ピン
４７・・・ガイド片
Ｄ１，Ｄ２・・・ドット
Ｅ・・・エキセンピン
Ｈ・・・ラインヘッド
Ｌ・・・ラインヘッド部
Ｍ・・・中心軸
Ｐ・・・第１取付部（取付部）
Ｑ・・・第２取付部（取付部）
【図１】
0006395314.tif 000002
【図２】
0006395314.tif 000003
【図３】
0006395314.tif 000004
【図４】
0006395314.tif 000005
【図５】
0006395314.tif 000006
【図６】
0006395314.tif 000007
【図７】
0006395314.tif 000008
【図８】
0006395314.tif 000009
【図９】
0006395314.tif 000010
【図１０】
0006395314.tif 000011
【図１１】
0006395314.tif 000012
【図１２】
0006395314.tif 000013